(57)【要約】【課題】本発明は、消火栓装置の上面側からの操作ができ、上面側から操作する操作者が、例えばバランスを崩して体重を掛けたとしても操作されることのない安全な消火栓弁開閉機構を備えた消火栓装置を得ることを目的としている。【解決手段】本発明に係る消火栓装置１は、ホース２５を収納する筐体１９内に消火栓弁を開閉するための消火栓弁開閉機構３を備えた消火栓装置１であって、  消火栓弁開閉機構３は、筐体１９の上面側からの操作を行うための上面側操作部とを備え、上面側操作部は、消火栓弁の開放を行う開放操作が上面側操作部を上方に引き上げる動作によって行うように構成されているたことを特徴とするものである。【選択図】  図１
2020104020.tif 000002
【特許請求の範囲】
【請求項１】
ホースを収納する筐体内に消火栓弁を開閉するための消火栓弁開閉機構を備えた消火栓装置であって、
前記消火栓弁開閉機構は、前記筐体の上面側からの操作を行うための上面側操作部を備え、
前記上面側操作部は、前記消火栓弁の開放を行う開放操作が前記上面側操作部を上方に引き上げる動作によって行うように構成されていることを特徴とする消火栓装置。
【請求項２】
前記上面側操作部は、棒状のレバーによって構成されており、常時において水平面内又はこれより上方の範囲に設けられていることを特徴とする請求項１に記載の消火栓装置。
【請求項３】
上面側操作部を正面側から見えないように覆うカバー体を設けたことを特徴とする請求項１又は２に記載の消火栓装置。
【請求項４】
前記筐体は、天板部と、該天板部の下方にあってホースを収納するホース収納部を有する本体部とを備え、
前記天板部は、前記上面側操作部の操作をするための上面開口部と、該上面開口部を開閉可能に覆う上面扉を有することを特徴とする請求項１乃至３のいずれか一項に記載の消火栓装置。
【発明の詳細な説明】
【技術分野】
【０００１】
本発明は、トンネル等に設置される消火栓装置に関する。
【背景技術】
【０００２】
トンネル等に設置される消火栓装置は、例えば特許文献１に開示されたように、消火栓本体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監視員通路内に埋め込むことが考えられ、このような態様のものとして特許文献２に開示されたトンネル用消火栓装置がある。
【０００４】
特許文献２に開示のものは、「トンネル側壁の路肩に沿って所定の高さに構築された監視員通路を備えたトンネルに設置されるトンネル用消火栓装置に於いて、前記監視員通路の路面側の側壁を装置前面として監視員通路の下部の空間に本体を収納したことを特徴とするトンネル用消火栓装置。」（特許文献２の請求項１参照）である。
【先行技術文献】
【特許文献】
【０００５】
【特許文献１】特開２０１５−４４０３９号公報
【特許文献２】特開２００１−９０５３号公報
【発明の概要】
【発明が解決しようとする課題】
【０００６】
特許文献２に開示のものは、本体内に引き出し可能に設けたトレイにホースリール、消火器及び消火栓弁開閉レバー（消火栓操作レバー）を収納し、前記トレイを前面側に引き出すようにしている。
トレイ内に設置されている消火栓弁開閉レバーは、トレイを引き出した状態での操作を前提としており、異なる方向からの操作を想定していない。そのため、例えば消火栓装置を監視員通路内に埋め込むようにして設置した場合において、監視員通路の路面側すなわち消火栓装置の上面側、あるいは消火栓装置の前面側といった異なる方向から操作する場合において、操作性が悪いという問題がある。
【０００７】
また、上述したように、特許文献２に開示のものは、トレイ内に消火栓弁開閉レバーを設置しているため、消火栓装置の前面側にはトレイを引き出すための空間が必要となる。
しかしながら、消火栓装置の前面側は、車道に近く、事故車等が消火栓装置の前面側にあることも考えられ、消火栓装置の前面にはほとんど空間がないことも考えられる。そのため、消火栓弁開閉レバーの操作を含めて消火活動を迅速に行えないことが想定される。
【０００８】
本発明はかかる課題を解決するためになされたものであり、消火栓装置を監視員通路内に埋め込むようにして設置した場合において、消火栓装置の前面側、上面側のいずれの側からの操作であっても操作性に優れた消火栓弁開閉機構を備えた消火栓装置を得ることを目的としている。
また、本発明は、消火栓装置の上面側からの操作ができ、上面側から操作する操作者が、例えばバランスを崩して体重を掛けたとしても操作されることのない安全な消火栓弁開閉機構を備えた消火栓装置を得ることを目的としている。
【課題を解決するための手段】
【０００９】
（１）本発明に係る消火栓装置は、ホースを収納する筐体内に消火栓弁を開閉するための消火栓弁開閉機構を備えたものであって、
前記消火栓弁開閉機構は、前記筐体の上面側からの操作を行うための上面側操作部を備え、前記上面側操作部は、前記消火栓弁の開放を行う開放操作が前記上面側操作部を上方に引き上げる動作によって行うように構成されていることを特徴とするものである。
【００１０】
（２）また、上記（１）に記載のものにおいて、前記上面側操作部は、棒状のレバーによって構成されており、常時において水平面内又はこれより上方の範囲に設けられていることを特徴とするものである。
【００１１】
（３）また、上記（１）又は（２）に記載のものにおいて、上面側操作部を正面側から見えないように覆うカバー体を設けたことを特徴とするものである。
【００１２】
（４）また、上記（１）乃至（３）のいずれかに記載のものにおいて、前記筐体は、天板部と、該天板部の下方にあってホースを収納するホース収納部を有する本体部とを備え、
前記天板部は、前記上面側操作部の操作をするための上面開口部と、該上面開口部を開閉可能に覆う上面扉を有することを特徴とするものである。
【００１３】
（１−１）本発明に係る消火栓装置は、ホースを収納する筐体内に消火栓弁を開閉するための消火栓弁開閉機構を備えた消火栓装置であって、前記消火栓弁開閉機構は、前記筐体の前面側からの操作を行うための前面側操作部と、前記筐体の上面側からの操作を行うための上面側操作部とを備えたことを特徴とするものである。
【００１４】
（２−１）また、上記（１−１）に記載のものにおいて、前記上面側操作部は、前記消火栓弁の開放を行う開放操作が前記上面側操作部を上方に引き上げる動作によって行うように構成されていることを特徴とするものである。
【００１５】
（３−１）また、上記（１−１）又は（２−１）に記載のものにおいて、前記前面側操作部及び前記上面側操作部は、棒状のレバーによって構成されており、前記前面側操作部は、常時において水平面内又はこれより下方の範囲に設けられ、前記上面側操作部は、常時において水平面内又はこれより上方の範囲に設けられていることを特徴とするものである。
【００１６】
（４−１）また、上記（１−１）乃至（３−１）のいずれかに記載のものにおいて、上面側操作部を正面側から見えないように覆うカバー体を設けたことを特徴とするものである。
【００１７】
（５−１）また、上記（１−１）乃至（４−１）のいずれかに記載のものにおいて、前記筐体は、天板部と、該天板部の下方にあってホースを収納するホース収納部を有する本体部とを備え、前記天板部は、前記上面側操作部の操作をするための上面開口部と、該上面開口部を開閉可能に覆う上面扉を有し、前記本体部は、前記前面側操作部の操作をするための前面開口部と、該前面開口部を開閉可能に覆う前面扉を有することを特徴とするものである。
【発明の効果】
【００１８】
本発明に係る消火栓装置は、ホースを収納する筐体内に消火栓弁を開閉するための消火栓弁開閉機構を備えたものであって、前記消火栓弁開閉機構は、前記筐体の上面側からの操作を行うための上面側操作部とを備え、前記消火栓弁の開放を行う開放操作が前記上面側操作部を上方に引き上げる動作によって行うように構成されていることにより、筐体の上面側からでも消火栓弁開閉機構の操作が可能となり、また、上面側操作部を上方に引き上げる動作によって行うように構成されているため、これとは反対方向の操作をしても消火栓弁が開放されることがなく、腕を入れている操作者が、例えばバランスを崩して誤って上面側操作部に体重を掛けたとしても上面側操作部が操作されることはなく安全である。
【００１９】
また、本発明に係る消火栓装置は、ホースを収納する筐体内に消火栓弁を開閉するための消火栓弁開閉機構を備えたものであって、前記消火栓弁開閉機構は、前記筐体の前面側からの操作を行うための前面側操作部と、前記筐体の上面側からの操作を行うための上面側操作部とを備えたことにより、筐体の前面側及び上面側からのいずれからでも消火栓弁開閉機構の操作が可能であり、事故車等によって消火栓装置の前面側からの操作ができないような場合であっても、上面側からの消火栓弁開閉機構の操作が可能になるので消火活動に支障を来すことがない。
【図面の簡単な説明】
【００２０】
【図１】本発明の実施の形態１に係る消火栓装置に取り付けられる消火栓弁開閉機構の斜視図である。
【図２】図１に示した消火栓弁開閉機構の正面図である。
【図３】図１に示した消火栓弁開閉機構が取り付けられた消火栓装置の斜視図である。
【図４】図３に示した消火栓装置の前面パネルを取り外した状態を正面から見た正面図である。
【図５】図３に示した消火栓装置の天板部を取り外した状態を上面から見た平面図である。
【図６】図３に示した消火栓装置を監視員通路に設けられる設置用空間に設置した状態の説明図である。
【図７】図３に示した消火栓装置の前面側の扉を開扉した状態の正面図である。
【図８】図３に示した消火栓装置の上面側の扉を開扉した状態の平面図である。
【図９】本発明に係る消火栓装置が設置される監視員通路に設けられる設置用空間の説明図である。
【発明を実施するための形態】
【００２１】
本実施の形態に係る消火栓装置は、トンネル内の車道の路肩に構築された監視員通路に設けられた設置用空間内に設置されるものである。
まず、消火栓装置が設置される監視員通路の設置用空間について図９に基づいて説明する。
図９は、トンネルの路肩の監視員通路の一部を示したものであり、図中、８１はトンネル壁面８１、８３は監視員通路８３、８５は車道８５である。
監視員通路８３の路面は、車道幅方向（奥行き方向）に車道８５側が低くなるような傾斜面となっている。この傾斜面の勾配は、排水勾配と呼ばれ、傾斜角度は2.0％程度である。なお、2.0％の傾斜とは、100cmで2.0cmの高低差が生ずるような傾斜をいう。
【００２２】
設置用空間８７は、図９に示すように、監視員通路８３の前壁８９から監視員通路８３の車道幅方向に切り欠くように設けられ、監視員通路８３を車道幅方向に切断した断面では設置用空間８７を形成する壁がＬ字形状になっている。このような設置用空間８７が設けられることで監視員通路８３の路面には開口部が形成される。そして、該開口部の開口縁部９１は、後述する消火栓装置１の天板部２１の張出し部４５が載置される３辺の部分が一段低くなった段部になっている。
【００２３】
上記のような設置用空間８７に設置される本実施の形態の消火栓装置１（図３参照）は、ホースを収納する筐体内に消火栓弁を開閉するための消火栓弁開閉機構３を備えている。
まず、本発明の特徴部分の一つである消火栓弁開閉機構３について、図１、図２に基づいて説明する。
【００２４】
消火栓弁開閉機構３は、筐体内に設けられてワイヤ５を介して消火栓弁（図示なし）を遠隔操作するものである。本実施の消火栓弁は、地下の図示しない配水本管の分岐管に設けられ、開弁することで消火水を消火栓装置１に供給するものである。
消火栓弁開閉機構３は、図１に示すようにワイヤ５が連結され、ワイヤ５に対して引張り力を与えるための回動機構部７と、回動機構部７を回動するための操作部９を有している。
そして、本実施の形態の操作部９は、消火栓装置１の筐体１９（図３参照）の前面側から消火栓弁の開放操作を行うための前面側操作部としての前面側操作レバー１１と、筐体１９の上面側から消火栓弁の開放操作を行うための上面側操作部としての上面側操作レバー１３とを備えている。
【００２５】
前面側操作レバー１１は、常時（操作をしない状態の時）には、図２に示すように、基端側が回動機構部７に固定され、水平方向に延出して先端側に前面側把持部１５が設けられている。
前面側操作レバー１１は、図中の矢印Ａの方向に操作することで消火栓弁を開弁できるようになっている。
また、上面側操作レバー１３は、図２に示すように、基端側が回動機構部７に固定され、正面視における左右方向において前面側操作レバー１１と反対側の斜め上方に延出して先端側に上面側把持部１７が設けられている。
上面側操作レバー１３は、図２に示すように、鉛直線に対して角度θだけ、操作方向（図中の矢印Ｂの方向）とは逆方向に傾斜させて設けられている。換言すれば、消火栓装置１を正面から見たときに、上面側操作レバー１３は、消火栓弁の開放操作を行う方向（図中の矢印Ｂの方向）と反対の方向に傾斜させている。上面側操作レバー１３をこのように傾斜させた理由は以下の通りである。
なお、操作レバーは、常時において消火栓弁を開弁できる方向にのみ回動でき、逆方向には回動できないようになっている。
【００２６】
上面側操作レバー１３は、後述するように、筐体１９の天板部２１（図３参照）にいる操作者が筐体１９の上方から筐体内部に腕を入れて操作することになる。そこで、図２に示すような傾斜を設けることで、消火栓弁を開放する操作は、上面側操作レバー１３を矢印Ｂの方向に引き上げる動作になり、矢印Ｂとは反対方向の操作をしても消火栓弁が開放されることはない。このため、腕を入れている操作者が、例えばバランスを崩して誤って上面側操作レバー１３に体重を掛けたとしても上面側操作レバー１３が操作されることはなく安全である。
【００２７】
次に、上記のような消火栓弁開閉機構３が取り付けられる消火栓装置１について、図３〜図５に基づいて説明する。
消火栓装置１は、箱形の筐体１９を備え、筐体１９は、天板部２１と天板部２１の下方の本体部２３とを有している。
以下、消火栓装置１を構成する各部について詳細に説明する。
【００２８】
《本体部》
本体部２３の内部には内巻きに巻き回されたホース２５を収納するホース収納部２７が設けられ、ホース収納部２７の前面には前面開口部２９が設けられ、前面開口部２９には下降式の前面扉３１が設けられている。
また、本体部２３の内部にはホース収納部２７に隣接して消火器３０を収納する消火器収納部３３が設けられ、消火器収納部３３の前面には消火器箱前面開口部３５が設けられ、消火器箱前面開口部３５には横開き式の消火器箱前面扉３７が設けられている。
【００２９】
前面扉３１、消火器箱前面扉３７については、その開放方式は特に限定されるものではなく、前面扉３１を引戸式や回動式、あるいは消火器箱前面扉３７を下降式や回動式にしてもよい。
【００３０】
ホース収納部２７は、図５に示すように、筐体１９内における後方側に配置されている。
また、ホース収納部２７の前面側の近傍で、かつ上部側には、ホース２５の先端に設けられた消火ノズル３９を所定の位置に保持するためのノズルホルダ４１が設けられている。
さらに、ホース収納部２７の前面側の近傍で、かつ高さ方向で中程よりも上方側には、消火栓弁を操作するための消火栓弁開閉機構３が設けられている（図４、図５参照）。
このような消火栓弁開閉機構３（前面側操作レバー１１、上面側操作レバー１３）及びノズルホルダ４１の取付位置に関しては、筐体１９の前面開口部２９及び後述する上面開口部４７の両方から操作可能な位置となっている。
【００３１】
消火栓弁開閉機構３は、図４、図５に示すように、コ字状の板材からなる取付板４３に取り付けられている。より具体的には、取付板４３は、コ字の手前の板部材である横片部４３ｃと、該横片部４３ｃに対向する板部材である横片部４３ｂと、該横片部４３ｂ及び横片部４３ｃを接続するコ字の縦片部４３ａとからなり、コ字の奥側の横片部４３ｂに消火栓弁開閉機構３の回動機構部７が取り付けられている。
【００３２】
取付状態において前面側から見ると、図４に示すように、コ字の手前側の横片部４３ｃの下部から前面側操作レバー１１の前面側把持部１５が横方向に突出しているが、上面側操作レバー１３は、コ字の手前の横片部４３ｃに隠れて見えない状態になっている。つまり、コ字の手前の横片部４３ｃは、消火栓装置１を正面側から見たときに、上面側操作レバー１３や上面側把持部１７が見えないように覆う本発明のカバー体として機能している。換言すれば、前面側からは、前面側操作レバー１１のみが見えるようになっており、前面側操作レバー１１のみの操作ができるようになっている。
【００３３】
仮に前面側から上面側操作レバー１３が見えて操作できる場合、上面側操作レバー１３と前面側操作レバー１１のいずれを操作すべきか操作者が迷うことになるため、これを防止して単純な操作を可能にしている。
また、前面側操作レバー１１の前面側把持部１５が横片部４３ｃの下部から横方向に突出していることで、前面側操作レバー１１は上向きに押し上げるのは横片部４３ｃが邪魔になり難しくし、逆に下方向に押し下げるのを容易にすることで、操作方向が下向きであることを直感的に分かるようにしている。
【００３４】
他方、取付状態において、上面側から見ると、図５に示すように、上面側把持部１７（上面側操作レバー１３）が見え、上面側把持部１７を操作できるようになっている。しかも、上面側操作レバー１３は、回動機構部７から斜め上方に立ちあがっているので、上面側把持部１７は前面側操作レバー１１の前面側把持部１５よりも上方にあり、上面側から容易に届くので、操作者が誤って前面側操作レバー１１を操作することもない。
【００３５】
以上のように、本実施の形態の消火栓弁開閉機構３は前面側及び上面側からの操作が可能であり、かつ前面側からは前面側操作レバー１１のみ操作でき、上面側からは上面側操作レバー１３のみが好適に操作できるようになっている。
また、ノズルホルダ４１による消火ノズル３９の保持方法については、筐体１９の前面側及び上面側のいずれからでも容易に取り外し可能な保持方法になっている。
【００３６】
《天板部》
図３に示すように、天板部２１は、本体部２３と一体的に連結されており、本体部２３から外方に張出す張出し部４５を有している。張出し部４５は、両側辺と後辺の３辺に設けられている。
張出し部４５は、監視員通路８３の開口縁部９１の段部に載置され、この状態で監視員通路８３の路面と天板部２１が面一になる。
【００３７】
なお、張出し部４５によって本体部２３を吊下げ支持するようにしてもよい。この場合には、張出し部４５を吊下げ支持に耐えられる強度にするため、例えば張出し部４５の下方にＬ形のアングル材等の補強部材を設けて、張出し部４５を下方から支持する構造にすればよい。
なお、張出し部４５は天板部２１の他の部位と一体でも別体でもよい。
【００３８】
前述したように監視員通路８３に排水勾配が設けられている場合には、これに合わせて天板部２１を本体部２３に対して傾斜させて設置するようにするのが好ましい。
例えば、前面側から背面側に向かって登り傾斜となるような角度を設けるようにする。
【００３９】
天板部２１におけるホース収納部２７の上方かつ前方に相当する部位には、上面開口部４７が形成され、上面開口部４７には開閉可能な上面扉４９が設けられている。図８に示すように、上面扉４９を開放すると上面開口部４７から消火ノズル３９や上面側把持部１７が配置されているのが見える。一方で前面側把持部１５は見えにくくなっており、上面開口部４７からの操作は、上面側把持部１７にて行うことが一見して分かるようになっている。
天板部２１に上面開口部４７及び上面扉４９を設けたのは、消火栓装置１の天板部２１側からホース２５の引き出しや、上面側把持部１７（上面側操作レバー１３）の操作を可能にするためである。
上面扉４９は、前側の辺部に設けられた図示しない回動軸を中心として例えば、前面側に向けて回動するようになっている。
【００４０】
天板部２１における消火器収納部３３の上方に相当する部位には、消火器箱上面開口部５１が形成され、消火器箱上面開口部５１には開閉可能な消火器箱上面扉５３が設けられ消火器を上から取り出せるようになっている。
消火器箱上面扉５３も上面扉４９と同様の構成になっている。
【００４１】
次に、上記のように構成された本実施の形態の消火栓装置１の設置方法及び設置状態について図６に基づいて説明する。
消火栓装置１は、監視員通路８３の開口縁部９１に天板部２１の張出し部４５を載置して設置される。設置状態では、図６に示すように、天板部２１が監視員通路８３の路面と面一になって、監視員通路８３の路面の一部として供用される。
【００４２】
なお、監視員通路８３に排水勾配が設けられている場合には、排水勾配に合わせて天板部２１を本体部２３に対して傾斜させておけば、この場合でも監視員通路８３に対して面一の状態で設置することができる。
【００４３】
上記のように設置された消火栓装置１においては、天板部２１が監視員通路８３の路面の一部となり通行することができ、かつホース２５の引き出し、消火栓弁開閉機構３の操作、及び消火器３０の取り出しを前面側及び上面側からの両方から行うことができる。
【００４４】
上記のように設置された消火栓装置１において、前面扉３１を開扉すると、図７に示すように、前面開口部２９から消火ノズル３９がノズルホルダ４１に保持された状態が見えると共に、前面側操作レバー１１の前面側把持部１５が見えている。
したがって、操作者は、消火ノズル３９を取り外し、前面側把持部１５を下方に向けて操作することで、消火栓弁を開弁して消火活動を行うことができる。
上述したように、前面側からは、前面側操作レバー１１の前面把持部１５のみが見えて、前面把持部１５のみの操作ができるようになっているので、上面把持部１７と前面把持部１５のいずれを操作すべきか操作者が迷うことはない。
【００４５】
他方、上面扉４９及び消火器箱上面扉５３を開扉すると、図８に示すように、両扉は後方から前方に向けて回動して、直立よりも前方側に傾斜した起立状態を維持する。なお、両扉には起立状態から自然に閉止しないようにロックして起立状態を保持する起立保持部材を設けるのが望ましい。
なお、上面扉４９及び消火器箱上面扉５３を起立状態で保持させることで、火災等の煙で視界が悪くなったような場合において、作業者が監視員通路８３から車道８５へ不意に落下したりするのを防止するという効果がある。
【００４６】
上面扉４９及び消火器箱上面扉５３を開扉した状態を真上から見ると、図８に示すように、上面開口部４７からは、消火ノズル３９と上面側操作レバー１３の上面側把持部１７が見え、消火器箱上面開口部５１からは消火器３０の頭部が見える。
上面開口部４７から消火ノズル３９によって消火活動を行う場合、操作者は、消火ノズル３９を取り外し、上面側把持部１７を上方に引き上げるように操作することで、消火栓弁を開弁して消火活動を行うことができる。上述したように、上面開口部４７から上面側操作レバー１３を操作する場合、腕を上面開口部４７に挿入することになり、バランスを崩して上面側操作レバー１３に体重を預ける状態になることも考えられるが、そのような状態になっても上面側操作レバー１３は開弁方向が逆方向なので、予期せぬ状態での開弁がされることなく安心である。
【００４７】
また、上面開口部４７からは上面側把持部１７と前面把持部１５の両方が見えるものの、上面側把持部１７が上面開口部４７から近い距離に配置されているので、上面側把持部１７と前面把持部１５のいずれを操作すべきかを迷うことはない。
【００４８】
なお、上記の実施の形態においては、前面側操作レバー１１は、常時には水平方向に延出しており、上面側操作レバー１３は、鉛直線に対して角度θだけ、操作方向とは逆方向に傾斜させて設けられるものとして説明したが、本発明において前面側操作レバー１１と上面側操作レバー１３の配置はこれに限定されるものではない。前面側操作レバー１１の前面側把持部１５は、回動機構部７を通る水平面内及び水平面より下方（即ち、正面視において、回動機構部７を中心とした下１８０°の範囲内）に設けられれば良く、より好ましくは、上記の範囲内であって下向きの回動方向となるような範囲内（水平方向から垂直下方向までの９０°の範囲内）に設けられれば良い。
一方、上面側操作レバー１３の上面側把持部１７は、回動機構部７を通る水平面内及び水平面より上方（即ち、正面視において、回動機構部７を中心とした上１８０°の範囲内）に設けられれば良く、より好ましくは、上記の範囲内であって上向きの回動方向となるような範囲内（水平方向から垂直上方向までの９０°の範囲内）に設けられれば良い。
【００４９】
なお、上記の実施の形態においては、消火栓弁開閉機構３の前面側操作部と上面側操作部を棒状のレバーによって構成した例を示したが、本発明の前面側操作部及び上面側操作部の形状はレバー形状のものに限られず、例えばハンドルのような形状であってもよい。
また、上記の実施の形態の消火栓装置１の筐体１９は、前面側を開放する前面扉３１と上面側を開放する上面扉４９が別々に設けられたものであったが、本発明の筐体１９はこれに限られず、筐体１９の前面側と上面側が同時に開放するような扉体を備えたものであってもよい。また、天板部と筐体は一体でも別体でもよい。
さらに、上記の実施の形態においては、消火器収納部３３を有する例を示したが、本発明の消火栓装置１は消火器収納部３３を有することは必須ではなく、消火器収納部３３のないものを排除するものではない。
またさらに、上記の実施の形態では、消火栓弁開閉機構３がワイヤ５を介して消火栓弁を開閉操作するものであったが、本発明の消火栓弁開閉機構はこれに限られず、消火栓弁が筐体１９（図３参照）内に設けられている場合も含み、この場合には消火栓弁開閉機構は消火栓弁とワイヤを介して接続されるのではなく、消火栓弁開閉機構が消火栓弁と一体的に設けられる。
【符号の説明】
【００５０】
１  消火栓装置
３  消火栓弁開閉機構
５  ワイヤ
７  回動機構部
９  操作部
１１  前面側操作レバー
１３  上面側操作レバー
１５  前面側把持部
１７  上面側把持部
１９  筐体
２１  天板部
２３  本体部
２５  ホース
２７  ホース収納部
２９  前面開口部
３０  消火器
３１  前面扉
３３  消火器収納部
３５  消火器箱前面開口部
３７  消火器箱前面扉
３９  消火ノズル
４１  ノズルホルダ
４３  取付板
４３ａ  縦片部
４３ｂ  横片部（奥側）
４３ｃ  横片部（手前側）
４５  張出し部
４７  上面開口部
４９  上面扉
５１  消火器箱上面開口部
５３  消火器箱上面扉
＜監視員通路＞
８１  トンネル壁面
８３  監視員通路
８５  車道
８７  設置用空間
８９  前壁
９１  開口縁部
【図１】
2020104020.tif 000003
【図２】
2020104020.tif 000004
【図３】
2020104020.tif 000005
【図４】
2020104020.tif 000006
【図５】
2020104020.tif 000007
【図６】
2020104020.tif 000008
【図７】
2020104020.tif 000009
【図８】
2020104020.tif 000010
【図９】
2020104020.tif 000011